(57)【要約】      （修正有）【課題】本考案は、メガネケースを薄くして胸ポケットに入れ室内外でも携帯できるようにし、メガネの出し入れが簡易で、センスの良い簡易携帯メガネケースを提供する。【解決手段】本考案は、レンズを保護する布部材で２つ折りのケース本体Ａと、２つの面を留める帯片Ｂから構成する。ケース本体Ａは優れたセンスを保つため、内面と外面の布模様が見えるよう同一の布部材を重ね合わせ、ケースの型が崩れないよう針金線３を縫込み、開閉をスムーズにするための係止具として鉄片４を入れて縫い込む。帯片Ｂには先端に係止部材として磁性体６を挿入し縫込み、ケース本体Ａの周囲を縫込む時に取付ける。【選択図】図２
0003205648.tif 000002
【実用新案登録請求の範囲】
【請求項１】
布部材で構成され、メガネのレンズ部を覆う２つ折りのケース本体と、該ケース本体の一辺に取付けられて、ケース本体の二つ折り状態を固定するための帯片を備え、該帯片は、その先端に係止部材が設けられており、該係止部材はカバーの２つ折り時に相対する部位に設けられた係止具に係止されることを特徴とする簡易携帯メガネケース。       
【請求項２】
前記係止具は金属体で構成されるとともに、前記係止部材は磁性体で構成されていることを特徴とする請求項１記載の簡易携帯メガネケース。
【考案の詳細な説明】
【技術分野】
【０００１】
本考案は，メガネを室内外に携行する際、メガネケースを胸ポケットに簡易に入るコンパクトさを備え、必要時にメガネを速やかに出し入れできる簡易携帯メガネケースに関するものである。
【背景技術】
【０００２】
従来のメガネケースは硬いプラスチックケース（例えば特許文献１）や紐締め袋（例えば特許文献２）などが知られている。特許文献1のプラスチックケースでは作業現場など屋外においては携行し難く、またプラスチックケースに入れずにメガネを直接胸ポケットに入れることが多いため、レンズを傷付けフレームを痛めるなど課題がある。
【先行技術文献】
【特許文献】
【０００３】
【特許文献１】特開2004-202125
【特許文献２】実開平4-054231
【考案の概要】
【考案が解決しようとする課題】
【０００４】
作業現場など屋外において、胸ポケットなどに簡易に携行でき、出し入れがスムーズで、かつ室内においてもセンスの良い簡易携帯メガネケースを提供することを課題とする。
【課題を解決するための手段】
【０００５】
布部材で構成され、メガネのレンズ部を覆う２つ折りのカバーと，そのカバーを留めるカバー部の一辺に取付けた帯片を備え、帯片の先端に係止部材を備え，該係止部材はカバーの２つ折り時に相対する部位に設けられた係止具に係止されることを特徴とする。
【考案の効果】
【０００６】
上述のように、本考案の簡易携帯メガネケースは、室内外に携行する際、胸ポケットに簡易に入るコンパクトさを備え、係止部の磁性体使用により、必要時にメガネを速やかに出し入れ出来、布の使用と型崩れ防止用の金属線使用により、室内外で簡易に便利で使用できる。
【図面の簡単な説明】
【０００７】
【図１】本考案の簡易携帯メガネケース縫製前の立体図である。
【図２】本考案の簡易携帯メガネケース完成（縫製後）開いた平面図である。
【図３】本考案の簡易携帯メガネケース完成の閉じた側面図である。
【図４】本考案の簡易携帯メガネケース完成の閉じた平面図である。
【考案を実施するための形態】
【実施例】
【０００８】
本考案の実施例について図面に基づいて説明する。
先ず、簡易携帯メガネケースの構成を詳しく説明する。
本考案の簡易携帯メガネケースは、布部材で構成された四角形状のケース本体Aと、このケース本体Aの一辺に取付けられてケース本体Aの二つ折り状態を固定する帯片Bとから構成されている。
【０００９】
前記した簡易携帯メガネケースのケース本体Aは、四つ角を切断した四角形状の本体布１と、この本体布１よりも一回り小さい裏地布２とで構成され、簡易携帯メガネケースの形状を保持するための針金線３と、ケース本体Aの二つ折り状態を固定するための係止材として鉄片４により構成されている。
【００１０】
前記した簡易携帯メガネケースの帯片Bは、ケース本体Aを構成する本体布１と同質の帯片布５と、ケース本体Aの二つ折り状態を固定するための係止部材として磁性体６から構成されている。
【００１１】
続いて、簡易携帯メガネケースの作り方を詳しく説明する。
先ず、簡易携帯メガネケースの帯片Bの作り方から説明する。
帯片Bの作り方は、帯片長さの2倍の布を短冊状に裁断し、これを帯片Bの長さに二つ折りし、係止部材である磁性体6が挿入できる幅を確保して、両サイドを縫合する。この袋状の布を表裏反転させて帯片Bが出来上がり、帯片Bの先端まで磁性体6を挿入し、手前を糸7で縫合し完成する。
【００１２】
続いて、簡易携帯メガネケースのケース本体Aの作り方を説明する。
先ず、簡易携帯メガネケースの寸法を把握するため、眼鏡Mの両端にある丁番M2（眼鏡のリムM1とテンプルM3の折りたたみを可能にするパーツ）の間隔の長さを計測し、その長さの幅に揃えて四角形状に裏地布2を裁断し四隅を45度にカットし、続いて裏地布2より一回り大きく四角形状に本体布1を裁断し、それぞれの四隅を45度にカットする。
【００１３】
続いて、本体布1をベースにして、その上に裏地布2を中央に置き、裏地布2より外側に出ている本体布1を、裏地布2の端に合わせて内側に折り曲げ、アイロンを当てて折り目を付ける。
【００１４】
そして、前述した作成済みの帯片Bを、右端中心部に置きセロテープ(登録商標)で貼り付けし、簡易携帯メガネケースの形状を保持するための針金線3を、裏地布2の中心にセロテープ(登録商標)で貼り付けし、続いてケース本体Aの二つ折り状態を固定するための係止材となる鉄片4を、帯片Bを取り付ける側で針金線3の傍にセロテープ(登録商標)で貼り付けする。
【００１５】
そして、前述の折り目を付けた本体布1を、針金線3に沿って谷折りに曲げ、二枚の三辺の端を揃えてアイロンを当て、三辺がずれないようにダブルクリップで三辺を固定する。
【００１６】
続いて、針金線3の先方より針金線3に沿ってミシンで直線に糸8で縫い、コーナ―は直角に曲がり次は直線縫いし、続いてのコーナーは45度で縫い、次の直線縫いでは帯片Bが定位置にあることを確認して縫い合わせ、以降は前記と同様の縫い方をする。
【００１７】
四辺が縫い終わったら、鉄片4の周囲を囲むように糸9で縫い、帯片Bをしっかり固定するため外周縫いの内側を糸10で縫い、最後に簡易携帯メガネケースＡの折り曲げ部となる線を糸11で縫い合せ、その線に沿って折り曲げてアイロンかけて仕上げる。
【００１８】
続いて、簡易携帯メガネケースの使い方を説明する。
簡易携帯メガネケースAを図2のように開き、その上にテンプルM3を起こした状態のメガネMを置き、鉄片4を固定した部位を糸11で縫い合わせた線に沿って谷折りに折畳み、その上に帯片Bを折り重ね固定する。
【産業上の利用可能性】
【００１９】
特に，室内外に携行する際，胸ポケットに簡易に入るコンパクトさを備え，係止部に磁性体を使用することにより，必要時にメガネを速やかに出し入れ出来，室内でもセンスの良いメガネケースとして使用できる。
【符号の説明】
【００２０】
１簡易携帯メガネケース本体布
２裏地布
３針金線
４金属板
５帯片布
６磁性体
【図１】
0003205648.tif 000003
【図２】
0003205648.tif 000004
【図３】
0003205648.tif 000005
【図４】
0003205648.tif 000006